(57)【特許請求の範囲】
【請求項１】
複数個並べた製品群の両側をそれぞれキャップ状に覆って束ねるための包装具であって、熱可塑性プラスチックシートの真空成形品からなり、矩形状の底板部とその周囲４辺の側板部とからなるキャップ部分と、そのキャップ部分の開口縁における各辺にそれぞれ切取り線を介して連設された４枚のフラップ部分とで構成され、各フラップ部分はそれに対応する側板部より小さなサイズであり、各フラップ部分には先端に向かって大きくなるテーパーの付いた膨出部が設けられていることを特徴とする包装具。
【請求項２】
キャップ部分の底板部に、外方に突き出た収納室が設けられていることを特徴とする請求項１に記載の包装具。
【請求項３】
収納する製品に付いたバーコードの位置に対応させてキャップ部分に任意形状の凹凸からなる隠蔽領域が設けられていることを特徴とする請求項１又は２に記載の包装具。
【発明の詳細な説明】
【技術分野】
【０００１】
本発明は、タバコパッケージを始めとして、菓子類や雑貨類の包装箱などの各種製品を複数個まとめて販売形態とするための包装具に関するものである。
【背景技術】
【０００２】
従来より、例えばタバコについてみると、その販売形態としては、店頭で１箱ずつ消費者に手渡すか、消費者自身が自動販売機で１箱ずつ購入するのが一般的であるが、店頭における販売促進を目的として、例えば２〜３個をまとめて束ねたものを販売するか、ライター等の景品を付けたものを販売することも同時に行われている。そして、タバコ以外の菓子類や雑貨類で包装箱に入った各種製品についても、販売促進の一環として同様なことが行われている。
【先行技術文献】
【特許文献】
【０００３】
【特許文献１】実用新案登録第３１１１５１４号公報
【特許文献２】特開平８−２９５３６５号公報
【発明の概要】
【発明が解決しようとする課題】
【０００４】
ところで、タバコをまとめ買いする消費者にとっては、２〜３個では少ないし、１０個入りのカートンでは多すぎて嵩張ることから、その中間の５個程度であると買いやすいということがある。そこで、そのような要望に応えるため、販売店にて、タバコパッケージを５個程度まとめてテープやフィルムで束ねるようにしている。しかしながら、５個程度をまとめてテープやフィルムで束ねて販売状態にするという作業は面倒であり、束ねたものの見栄えも悪いという問題がある。また、束ねたものは個数が増えて価格が高くなるため、個々のタバコパッケージに付いたバーコードを隠す必要があり、このために隠蔽用のシールを貼るなどの作業も加わることになる。さらに、まとめ買いの景品としてライター等を付けるとなると、その景品をテープで巻き付けるなどの方法しかなく、この作業に手間がかかるし、見た目も悪くなるという問題がある。このような問題は、タバコパッケージに限らず、菓子類や雑貨類が包装箱に入った各種製品を複数個まとめて販売する場合にも同じことが言える。
【０００５】
本発明は、上記のような問題点に鑑みてなされたものであり、その目的とするところは、複数個の製品をワンタッチでしかも見栄え良くまとめて販売状態にすることができる包装具を提供することにある。
【課題を解決するための手段】
【０００６】
上記の目的を達成するため、本発明の包装具は、複数個並べた製品群の両側をそれぞれキャップ状に覆って束ねるための包装具であって、熱可塑性プラスチックシートの真空成形品からなり、矩形状の底板部とその周囲４辺の側板部とからなるキャップ部分と、そのキャップ部分の開口縁における各辺にそれぞれ切取り線を介して連設された４枚のフラップ部分とで構成され、各フラップ部分はそれに対応する側板部より小さなサイズであり、各フラップ部分には先端に向かって大きくなるテーパーの付いた膨出部が設けられていることを特徴とする。
【０００７】
本発明の包装具は、これを２つ準備して使用する。そして、一方の包装具におけるキャップ部分に複数個の製品を並べてセットすることでその製品群の下側を固定し、次いで他方の包装具におけるキャップ部分を製品群にかぶせるようにセットして上側も固定する。その際、製品群のサイズに合わせてそれぞれのフラップ部分を切り取るか或いは内側に折り込むが、折り込んだフラップ部分についてはそのテーパーにより隙間が埋められるので、サイズ違いに対応してしっかりと固定することができる。
【０００８】
また、本発明の包装具において、キャップ部分の底板部に、外方に突き出た収納室が設けられているとよい。この構造の包装具を少なくとも一方に用い、収納室に景品を入れておくことにより、景品を付けた販売形態にすることができる。
【０００９】
また、本発明の包装具において、収納する製品に付いたバーコードの位置に対応させてキャップ部分に任意形状の凹凸からなる隠蔽領域が設けられているとよい。この構造の包装具を用いれば、包装具により製品群をまとめるだけで個別製品のバーコードを隠すことができる。
【発明の効果】
【００１０】
本発明の包装具によれば、複数個の製品をワンタッチでしかも見栄え良くまとめて販売状態にすることができる。
【図面の簡単な説明】
【００１１】
【図１】本発明に係る包装具の一例を示す斜視図である。
【図２】本発明に係る包装具の別の例を示す斜視図である。
【図３】図１に示す包装具の平面図である。
【図４】図１に示す包装具を長辺側から見た側面図である。
【図５】図１に示す包装具を短辺側から見た側面図である。
【図６】図２に示す包装具の平面図である。
【図７】図２に示す包装具を長辺側から見た側面図である。
【図８】図２に示す包装具を短辺側から見た側面図である。
【図９】図１と図２に示す包装具を使用してタバコパッケージをまとめる手順を示す説明図である。
【図１０】図９に示す手順でまとめたタバコパッケージ群の斜視図である。
【図１１】図１と図２に示す包装具を使用して異なるサイズのタバコパッケージをまとめる手順を示す説明図である。
【図１２】図１１に示す手順でまとめたタバコパッケージ群の斜視図である。
【図１３】図１と図２に示す包装具を使用してさらに異なるサイズのタバコパッケージをまとめる手順を示す説明図である。
【図１４】図１３に示す手順でまとめたタバコパッケージ群の斜視図である。
【発明を実施するための形態】
【００１２】
以下、図面を参照して本発明の実施の形態を説明する。
【００１３】
図１，２はそれぞれ本発明に係る包装具の一例を示す斜視図であり、これらは５個のタバコパッケージをまとめる際にペアで使用されるものである。
【００１４】
図１の包装具１０は、素材がＰＥＴからなるプラスチックシートを真空成形して作製されたもので、保形性と柔軟性とを兼ね備えた薄手の透明シートからなり、図３〜図５にも示すように、矩形状の底板部とその周囲４辺の側板部とからなるキャップ部分１１と、そのキャップ部分１１の開口縁における各辺にそれぞれ切取り線ｃであるミシン目を介して連設された４枚のフラップ部分１２〜１５とで構成されている。
【００１５】
包装具１０の各フラップ部分１２〜１５はそれに対応する側板部より小さなサイズであり、各フラップ部分１２〜１５には先端に向かって大きくなるテーパーの付いた膨出部１２ａ〜１５ａが設けられている。そして、この包装具１０では、図示の如く、キャップ部分１１における長辺側の一方の側板部に、シール貼付領域を残して網目状の凹凸からなる隠蔽領域αが形成されている。なお、包装具１０が真空成形品であるため、キャップ部分１１は、側板部が隣接する各コーナーに丸みのある形状になっている。
【００１６】
図２の包装具２０は、図１の包装具１０と同様、素材がＰＥＴからなるプラスチックシートを真空成形して作製されたもので、保形性と柔軟性とを兼ね備えた薄手の透明シートからなり、後述の収納室２６以外は図１の包装具１０と同じサイズであって、図６〜８にも示すように、矩形状の底板部とその周囲４辺の側板部とからなるキャップ部分２１と、そのキャップ部分２１の開口縁における各辺にそれぞれ切取り線ｃであるミシン目を介して連設された４枚のフラップ部分２２〜２５とで構成されている。
【００１７】
包装具２０の各フラップ部分２２〜２５はそれに対応する側板部より小さなサイズであり、各フラップ部分２２〜２５には先端に向かって大きくなるテーパーの付いた膨出部２２ａ〜２５ａが設けられている。そして、この包装具２０では、図示の如く、キャップ部分２１における底板部のところに外方に突き出た収納室２６が設けられている。図示の例ではライターを景品として付けるため、包装具２０の収納室２６はそのライターの形に合わせて成形されている。なお、この包装具２０も真空成形品であるため、キャップ部分２１は、側板部が隣接する各コーナーに丸みのある形状になっている。
【００１８】
次に、図１及び図２に示す包装具１０，２０の使用方法について説明する。ここで、タバコパッケージの種類は、大きく分けて、スリムタイプ、ＢＯＸタイプ、ソフトタイプの３つがあり、それらの大きさは少しずつ異なっているが、包装具１０，２０は、これらの何れにも対応できるようになっている。
【００１９】
図９及び図１０は、３タイプのうち最も細いスリムタイプのタバコパッケージＰ1 を５個まとめる手順を示している。
【００２０】
まず、下側パーツとして包装具１０を準備し、隠蔽領域αのある側板部に連設するフラップ部分１２をまず最初に内側に折り込んでおく。このように二重にすることで、個別のタバコパッケージのバーコードをさらに読み難くする意味がある。そして、図９（ａ）に示すように、包装具１０における残り３つのフラップ部分１３〜１５を内側に折り込んでから、図９（ｂ）に示すように、隠蔽領域αのある側にバーコードがくるようにしてキャップ部分１１に５個のタバコパッケージＰ1 を並べてセットする。このとき、４つのフラップ部分１２〜１５を折り込んであり、しかも各フラップ部分１２〜１５にはそれぞれ膨出部１２ａ〜１５ａがあるので、スリムタイプのタバコパッケージＰ1 は５個並べた状態で包装具１０のキャップ部分１１に隙間なくセットすることができる。
【００２１】
次いで、上側パーツとしてもう一方の包装具２０を準備し、図９（ｃ）に示すように、その収納室２６にライターＬを正面が上を向くようにして入れるとともに、４つのフラップ部分２２〜２５を内側に折り込んでから、図９（ｄ）に示すように、キャップ部分２１をパッケージ群に被せるようにしてセットする。このとき、４つのフラップ部分２２〜２５を折り込んであり、しかも各フラップ部分２２〜２５にはそれぞれ膨出部２２ａ〜２５ａがあるので、包装具２０はそのキャップ部分２１を５個並んだスリムタイプのタバコパッケージＰ1 に対して隙間なくセットすることができる。
【００２２】
このようにして５個のタバコパッケージＰ1 を上下からしっかりと固定した後、下側パーツの包装具２０におけるシール貼付領域に、商品コードシールＳ1 を銘柄に合わせて貼ることにより、図１０に示すような店頭に並べる形態とする。なお、ここでいう商品コードシールは、各種タバコパッケージを５個まとめたパッケージ群の情報を印刷したものであり、包装具１０，２０とともに準備されるものである。
【００２３】
図１１及び図１２は、３タイプのうち最も太いＢＯＸタイプのタバコパッケージＰ2 を５個まとめる手順を示している。
【００２４】
この場合も、下側パーツとして包装具１０を準備し、その包装具１０において隠蔽領域αのある側板部に連設するフラップ部分１２を内側に折り込んでおく。そして、図１１（ａ）に示すように、残り３つのフラップ部分１３〜１５は折り込まないで、隠蔽領域αのある側にバーコードがくるようにしてキャップ部分１１に５個のタバコパッケージＰ2 を並べてセットする。このとき、フラップ部分１２を折り込んであるが、折り込んだフラップ部分はこれひとつだけなので、ＢＯＸタイプのタバコパッケージＰ2 は５個並べた状態で包装具１０のキャップ部分１１に少し押し込むようにはなるが隙間なくセットすることができる。
【００２５】
次いで、上側パーツとしてもう一方の包装具２０を準備し、その収納室２６にライターＬを正面が上を向くようにして入れてから、図１１（ｂ）に示すように、キャップ部分２１をパッケージ群に被せるようにしてセットする。このとき、フラップ部分２２〜２５を折り込んでいないので、包装具２０はそのキャップ部分２１を５個並んだＢＯＸタイプのタバコパッケージＰ2 に対して隙間なくセットすることができる。
【００２６】
このようにして５個のタバコパッケージＰ2 を上下からしっかりと固定した後、図１１（ｃ）に示すように、下側パーツの包装具２０におけるシール貼付領域に、商品コードシールＳ2 を銘柄に合わせて貼るとともに、不要なフラップ部分である包装具１０のフラップ部分１２〜１５と包装具２０のフラップ部分２３〜２５を切り取ることで、図１２に示すような店頭に並べる形態とする。
【００２７】
図１３及び図１４は、スリムタイプとＢＯＸタイプの中間サイズであるソフトタイプのタバコパッケージＰ3 を５個まとめる手順を示している。
【００２８】
この場合も、下側パーツとして包装具１０を準備し、その包装具１０において隠蔽領域αのある側板部に連設するフラップ部分１２を内側に折り込んでおく。そして、図１３（ａ）に示すように、包装具１０に短辺側の１つのフラップ部分１４だけを内側に折り込んでから、図１３（ｂ）に示すように、隠蔽領域αがある側にバーコードがくるようにしてキャップ部分１１に５個のタバコパッケージＰ3 を並べてセットする。このとき、長辺側と短辺側のフラップ部分１２，１４を一つずつ折り込んであり、しかも各フラップ１２，１４部分にはそれぞれ膨出部１２ａ，１４ａがあるので、ソフトタイプのタバコパッケージＰ3 は５個並べた状態で包装具１０のキャップ部分１１に隙間なくセットすることができる。
【００２９】
次いで、上側パーツとしてもう一方の包装具２０を準備し、図１３（ｃ）に示すように、その収納室２６にライターＬを正面が上を向くようにして入れるとともに、下側パーツの包装具１０において折り込まれたフラップ部分１２，１４に対応する２つのフラップ２２，２５部分だけを内側に折り込んでから、図１３（ｄ）に示すように、キャップ部分２１をパッケージ群に被せるようにしてセットする。このとき、長辺側と短辺側のフラップ２２，２５部分を折り込んであり、しかも各フラップ部分２２，２５にはそれぞれ膨出部２２ａ，２５ａがあるので、包装具２０はそのキャップ部分２１を５個並んだソフトタイプのタバコパッケージＰ3 に対して隙間なくセットすることができる。
【００３０】
このようにして５個のタバコパッケージＰ3 を上下からしっかりと固定した後、図１３（ｅ）に示すように、下側パーツの包装具２０におけるシール貼付領域に、商品コードシールＳ3 を銘柄に合わせて貼るとともに、不要なフラップ部分である包装具１０のフラップ部分１３，１５と包装具２０のフラップ部分２３，２４を切り取ることで、図１４に示すような店頭に並べる形態とする。
【００３１】
以上、１つの具体例を挙げて本発明の実施の形態について詳細に説明してきたが、本発明による包装具は、上記した実施の形態に何ら限定されるものではなく、本発明の趣旨を逸脱しない範囲において種々の変更が可能であることは当然のことである。
【００３２】
例えば、上記の例では、素材がＰＥＴからなるプラスチックシートの場合を例に挙げたが、塩化ビニル、ポリエチレン等、他の素材のプラスチックシートを使用することもできる。ただ、リサイクル等の環境問題の観点からＰＥＴを用いることが好ましい。
【００３３】
また、上記の例では、包装具におけるキャップ部分とフラップ部分との間の切取り線を切取りが可能なミシン目としたが、手で簡単に切り取ることができさえすればハーフカットでも構わない。
【００３４】
また、上記の例では、包装具１０，２０の２種類の包装具を使用し、それぞれを上側パーツと下側パーツに用いたが、簡便なものとしては、１種類の包装具だけを準備しておき、これを束ねる製品群の両側にセットすることも可能である。
【００３５】
また、上記の例では、景品としてライターを付けるようにしたが、収納室を設けてこのような景品を付けることは必ずしも必要ではないし、タバコパッケージのバーコードを隠すための隠蔽領域を形成することも必ずしも必要ではない。景品を付ける場合は、ライターの他に、キーホルダーやアクセサリーなどの小物を始めとして種々のものが挙げられ、製品の種類やアイデアに応じて適宜決められるものであって特に限定はない。そして、その景品の形状に対応して収納室における膨出部分の形状も適宜決めればよい。
【産業上の利用可能性】
【００３６】
本発明の包装具は、上記したようなタバコパッケージを複数個まとめるのに用いられるほか、菓子類や雑貨類の包装箱などの各種製品を複数個まとめて販売形態とする場合にも用いることができる。
【符号の説明】
【００３７】
１０  包装具
１１  キャップ部分
１２〜１５  フラップ部分
１２ａ〜１５ａ  膨出部
２０  包装具
２１  キャップ部分
２２〜２５  フラップ部分
２２ａ〜２５ａ  膨出部
２６  収納室
α  隠蔽領域
ｃ  切取り線
Ｌ  ライター
Ｐ1 ，Ｐ2 ，Ｐ3   タバコパッケージ
Ｓ1 ，Ｓ2 ，Ｓ3   商品コードシール
【図１】
0005424412.tif 000002
【図２】
0005424412.tif 000003
【図３】
0005424412.tif 000004
【図４】
0005424412.tif 000005
【図５】
0005424412.tif 000006
【図６】
0005424412.tif 000007
【図７】
0005424412.tif 000008
【図８】
0005424412.tif 000009
【図９】
0005424412.tif 000010
【図１０】
0005424412.tif 000011
【図１１】
0005424412.tif 000012
【図１２】
0005424412.tif 000013
【図１３】
0005424412.tif 000014
【図１４】
0005424412.tif 000015